(57)【要約】【課題】雨や波がかかったときに内部に水が浸入し難く、持運びの際に内部の水がこぼれ難い釣り用バケツを提供すること【解決手段】防水性合成樹脂で形成したバケツ本体１２と、このバケツ本体の上方開口１４を開閉する蓋体１６とを備え、この蓋体１６は、バケツ本体１２の上方開口１４を閉塞するときに、この開口１４の内側に添設する周壁部３６を有することを特徴とする【選択図】    図３
2004215587.tif 000002
【特許請求の範囲】
【請求項１】
防水性を有する合成樹脂で形成したバケツ本体と、このバケツ本体の上方開口を開閉する蓋体とを備え、この蓋体は、バケツ本体の上方開口を閉塞するときに、この開口の内側に添設する周壁部を有することを特徴とする釣り用バケツ。
【請求項２】
前記蓋体の周壁部に、外方に突出する突片を設け、この突片は、蓋体がバケツ本体の開口を閉塞したときに、前記開口の縁部に係合可能であることを特徴とする請求項１に記載の釣り用バケツ。
【請求項３】
バケツ本体の開口を蓋体で閉塞したときに、この蓋体の上方からバケツ本体の開口を覆う外蓋を有することを特徴とする請求項１または２に記載の釣り用バケツ。
【請求項４】
前記外蓋は、バケツ本体の開口の外側に沿って垂下するスカートを有することを特徴とする請求項３に記載の釣り用バケツ。
【発明の詳細な説明】
【０００１】
【発明の属する技術分野】
本発明は、釣行に携行するのに適した釣り用バケツに関する。
【０００２】
【従来の技術】
一般に、釣り用バケツは、例えば用具入れ、餌の調合、あるいは釣上げた魚の保管等の種々の用途に用いられる。
このような多目的の釣り用バケツには、携帯に適した軽量構造とするために、合成樹脂シートを貼り合わせて上方に開口を有する容器本体を形成し、これと同じ合成樹脂シートで蓋体形成したものがある。この蓋体は、容器本体の開口に近接した位置に開閉自在に取り付けられ、ジッパーファスナにより、開口を覆った周縁部をこの開口の周部に固定することができる（例えば特許文献１参照）。
また、波や雨が容器内部に進入するのを抑制するため、容器本体の開口を閉塞する蓋体に、容器本体の側壁に外側から重なるスカートを設けたものがある（例えば特許文献２参照）。
このような従来の釣り用バケツのいずれも、簡単かつ軽量な構造でありながらも、収容した用具あるいは餌等が移動中に零れだすのを効果的に抑制することが可能である。
【０００３】
【特許文献１】
特開平１０−１７４５４３号公報  （第３頁、図１−図４）
【０００４】
【特許文献２】
特開平１１−４９２０２号公報  （第２頁、図１、図２）
【０００５】
【発明が解決しようとする課題】
しかし、釣り用バケツは、内部に水を入れた状態で持運ぶこともある。このため、従来の釣り用バケツでは、内部に収容した水が揺れると、蓋体を閉じた状態であっても、開口から零れやすい。
【０００６】
本発明はこのような事情に基づいてなされたもので、雨や波がかかったときに内部に水が浸入し難く、持運びの際に内部の水がこぼれ難い釣り用バケツを提供することを目的とする。
【０００７】
【課題を解決するための手段】
上記目的を達成する本発明の釣り用バケツは、防水性を有する合成樹脂で形成したバケツ本体と、このバケツ本体の上方開口を開閉する蓋体とを備え、この蓋体は、バケツ本体の上方開口を閉塞するときに、この開口の内側に添設する周壁部を有することを特徴とする。
【０００８】
【発明の実施の形態】
図１から図５は、本発明の好ましい実施形態による釣り用バケツ１０を示す。本実施形態では、釣り用バケツ１０を持運びの際に内部の水がこぼれ難い構造に形成してあり、主に撒き餌を入れ、その中で撒き餌を作成し、釣具を収納し、あるいは魚入れとして好適に用いることができる。
【０００９】
図１から図３に示すように、本実施形態の釣り用バケツ１０は、底壁部と４つの側壁部とを有する角形の箱状バケツ本体１２を有し、このバケツ本体１２の上方開口１４（図３）を蓋体１６で開閉することができる。更に、この釣り用バケツ１０は、上方開口１４を蓋体１６で閉塞したときに、この蓋体１６の上方からバケツ本体１２の開口１４を覆う外蓋１８を備えている。これらの蓋体１６と外蓋１８とは、それぞれヒンジ１７，１９によりそれぞれバケツ本体１２の側壁部２０に取付けられ、開口１４を開閉することができる。なお、ヒンジ１７，１９の双方を同じ側に配置することに代え、それぞれ異なる側に配置してもよい。
【００１０】
更に、本実施形態の釣り用バケツ１０は、バケツ本体１２の対向する側壁部２０の外側で、上方開口１４の近部に携帯用の一対のハンドル２２を取付けられている。このハンドル２２は、それぞれ可撓性を有する合成樹脂により略コ字状形状に形成し、バケツ本体１２の側壁部２０に固着した補強材を兼ねる保持具２４を介して、取り付けられている。このハンドル２２は、図１に示すようにバケツ本体１２から上方に突出する起立位置と、図２および図３に示すようにバケツ本体１２の外側面に当接可能な倒伏位置との間を移動することができる。
【００１１】
このようなハンドル２２と共に、あるいは、ハンドルに代えて図示しないショルダーベルトを設けてもよい。勿論、バケツ本体１２の側壁部２０以外にも、このような携帯用のハンドル２２およびショルダーベルトの一方あるいは双方を蓋体１６あるいは外蓋１８に設けることも可能である。また、図示しない帯状部材を、バケツ本体１２の底壁部２６から両側壁部２０に沿って延設し、側壁部２０の上縁部から突出する部分で、ハンドルあるいはショルダーベルトを形成することも可能である。
【００１２】
バケツ本体１２は、エチレン酢酸ビニル、ポリウレタン等の合成樹脂が好ましく、防水性を有する材料から形成し、バケツ本体１２を通して外部からの水の浸入を防止すると共に、バケツ本体１２に入れた水が漏れるのを防止する。この防水性合成樹脂材料は、バケツ本体１２の縦、横、深さのそれぞれの寸法がほぼ５０ｃｍ以下の大きさに形成する場合、側壁部２０の肉厚をほぼ０．５〜２．０ｍｍ程度に形成する板材で、可撓性を有するようにする。バケツ本体１２をこのように形成することにより、十分な強度を確保しつつ持ち運びが容易な軽量構造とすることができる。
【００１３】
図４および図５に示すように、本実施形態のバケツ本体１２は、側壁部２０と底壁部２６とを縫目あるいは接合部のない一体の板材で形成するか、又は複数の板材を溶着して形成してある。この側壁部２０には、上方開口１４の周縁部を形成する上縁部の外側に沿って断面円形の金属製が好ましい剛性フレーム２８を延設し、側壁部２０を形成する板材の延長部を、この剛性フレーム２８に沿って外方に折り返し、この折返し部３０を側壁部２０の外面に固定してある。これにより、側壁部２０の上縁部は、滑らかな平面状の内側から、剛性フレーム２８および折り返し部３０を外方に突出させた湾曲断面を形成する。
【００１４】
更に、この折り返し部３０と側壁部２０との間の折り返し部３０には、止め具としてのジッパーファスナ３２の一方を形成する布テープ３２ｂを取付けてある。この布テープ３２ｂを、上記蓋体１６の上端部に取付けた対応するジッパーファスナ３２の他方を形成する布テープ３２ａと噛合わせることで、上方開口１４を閉塞した蓋体１６がバケツ本体１２に固定される。
【００１５】
本実施形態の蓋体１６は、底壁部３４とこの底壁部の周縁部に沿って上方に突出する周壁部３６とを有し、この周壁部３６とバケツ本体１２とを上述のヒンジ１７で連結してある。この蓋体１６は、バケツ本体１２の上方開口１４に対応した形状を有し、周壁部３６の上縁部を覆う補強あるいは縁取り部材３８と周壁部３６との間に縫着あるいは接着等で固定してある。これにより、蓋体１６が開口１４を閉塞するときに、周壁部３６の外側が開口１４の内側に添接し、バケツ本体１２の側壁部２０と蓋体１６の周壁部３６とが嵌合する。そして、蓋体１６の周壁部３６の上端から外側に突出する上述の布テープ３２ａは、バケツ本体１２の開口１４の縁部に当接し、蓋体１６がバケツ本体１２内に落下するのを防止する突片あるいはストッパとして作用する。蓋体１６の周縁部３６が、その上縁部を開口１４から突出させた状態を保持する場合には、布テープ３２ａおよび縁取り部材３８に手あるいは指を係止させて蓋体１６を開閉することができ、把持部を設けることを要しない。
【００１６】
なお、このような布テープ３２ａをストッパとして作用することに代え、適宜の突部を周壁部３６の外側に設けてストッパとしてもよい。また、周壁部３６の上端側を開口１４よりも僅かに大きくしたテーパ状に形成し、蓋体１６の周壁部３６を開口１４の内側に添接したときに、この蓋体１６をバケツ本体１２に対して保持できるようにしてもよい。このような全周にわたるファスナ３２の他にも、例えばヒンジ１７の反対側の部位等の適宜個所を部分的に連結する締結具を用いることも可能である。
【００１７】
このような蓋体１６は、エチレン酢酸ビニル、ポリウレタン等の合成樹脂の発泡体やゴム等の発泡体で形成し、または、このような発泡体の少なくとも片面に、ナイロン、ポリプロピレン等の合成樹脂の繊維からなる織布を貼着等した外層体を有するシート、あるいは、エチレン酢酸ビニル、ポリウレタン等の合成樹脂シート（又は板材）等を熱プレスにより、凹部を有する皿状あるいはトレー状の一体構造に成形し、その全体を防水構造とすることが好ましい。織布を表面に貼着することにより、熱プレスの際に角部に皺が形成されるのを防止することができる。又、蓋体１６は可撓性を有し、開口１４に嵌合するときに僅かに変形する。
【００１８】
この蓋体１６が開口１４を閉塞したときに、この蓋体１６の上方からバケツ本体１２の開口１４を覆う外蓋１８は、ヒンジ１９の反対側に設けた帯状の係合片４０を、開口１４の近部で側壁部２０の外面に設けた止め具４２に、着脱自在に係合させることで、閉塞位置に保持することができる。なお、図示の実施形態とは逆に、側壁部２０に帯状の係合片４０を取り付け、蓋体１６に板あるいはシート状の止め具４２を設けてもよく、複数組の係合片４０と止め具４２とを設けてもよい。更に、蓋体１６と同様なジッパーファスナを設けてもよい。
【００１９】
この外蓋１８は、開口１４および蓋体１６を覆う天板４４と、この天板の周縁部から延びてバケツ本体１２の開口１４の外側に沿って垂下するスカート４６とを有する。本実施形態では、スカート４６は天板４４の全周にわたってこの天板と一体に形成してあり、蓋体１６と同様の合成樹脂シートあるいは板材を熱プレスで成形することが好ましい。また、天板４４は、外蓋１８を閉じたときすなわち蓋体１６の上方からバケツ本体１２の開口を覆ったときに、蓋体１６の周壁部３６を上から押えることが好ましい。
【００２０】
このように形成された釣り用バケツ１０は、バケツ本体１２の開口１４を閉塞する際、蓋体１６の周壁部３６の外側をバケツ本体１２の開口１４の内側に添接することができる。これにより、バケツ本体１２の側壁部２０と蓋体１６の周壁部３６とが、その深さ方向に比較的大きな範囲で向かい合わせとなって容器本体１２の開口１４を閉塞する。このため、バケツ本体１２内で水が揺れても、これらの側壁部２０と周壁部３６との間を水が通過し難くなる。又、蓋体１６が開口１４を閉塞すると、バケツ本体１２の側壁部２０の折り返し部３０に剛性フレーム２８が設けられているために、折り返し部３０が蓋体１６の周壁３６を押圧し、変形させて当接してより水が通過し難く、蓋体１６の開口１４から脱落しにくい。
【００２１】
更に、外蓋１８を閉じた場合には、この外蓋１８の天板４４が蓋体１６の上縁部を押え、蓋体１６と開口１４との嵌合が緩むのを防止するため、水がこぼれ難くなる。また、外蓋１８のスカート４６が天板４４の周縁から開口１４の外側に被るように垂下するため、外部の水は、天板４４からスカート４６を伝ってバケツ本体１２の外側に落下する。これにより、バケツ本体１２内に水と魚とをいれて持運ぶ際、バケツ本体１２が揺れても、内部の水が外に零れるのを防止することができる。更に、釣り場で撒き餌を入れた状態で使用している最中に雨が降りあるいは波を被った場合であっても、バケツ本体１２内に水が浸入して撒き餌が不要な水で薄められる等の不都合が生じることもない。
【００２２】
図６および図７は、変形例による釣り用バケツ１０Ａを示す。この釣り用バケツ１０Ａは、基本的には上述の釣り用バケツ１０と同様であるため、同様な部位には同様な符号を付し、その詳細な説明を省略する。
この釣り用バケツ１０Ａは、蓋体１６に、上方を覆うにカバー体４８を設けてある。図示のカバー体４８は網目状シートで形成してあり、蓋体１６の一端に図示しないヒンジ部材を介して取付けられ、周壁部３６で囲まれた蓋体１６の凹部を自在に開閉することができる。このカバー体４８は、ヒンジ部材を配置した部位を除くその周辺に沿って周壁部３６の内側に着脱自在のジッパーファスナを設けるのが好ましい。このカバー体４８の周部を周壁部３６に接続することにより、周壁部３６で囲まれた蓋体１６の凹部内に釣具等のものを置いた状態で、蓋体１６を開閉させても、この凹部から脱落することはない。しかも、カバー体４８が網目状シートで形成されうる場合には、直ちに凹部内に配置したものを確認することができ、使い勝手のよい物入れとして用いることができる。なお、符号５０は、カバー体４８の略中央部に設けたジッパーファスナであり、このようなジッパーファスナ５０を設けることにより、凹部内への品物の出し入れを容易に行うことができる。
【００２３】
なお、上記各釣り用バケツについて、蓋体１６と外蓋１８との双方をバケツ本体１２に取付けた実施形態を説明したが、外蓋１８は省略することも可能である。この場合には、釣り用バケツの全体が持ち運びに便利な軽量構造とすることができる。また、蓋体１６および外蓋１８をバケツ本体１２に取付けるヒンジ１７，１９は、バケツ本体１２に対して着脱自在としてもよい。蓋体１６および外蓋１８の双方をバケツ本体１２から取外すことにより、バケツ本体１２を用いて容易に水を汲みあげることが可能となる。
【００２４】
【発明の効果】
以上明らかなように、本発明によると、雨や波がかかったときに内部に水が浸入し難く、持運びの際に内部の水がこぼれ難い釣り用バケツが提供される。
【図面の簡単な説明】
【図１】本発明の好ましい実施形態による釣り用バケツの全体構造を示す斜視図。
【図２】図１の釣り用バケツの外蓋を開いた状態の斜視図。
【図３】図１の釣り用バケツの蓋体と外蓋とを開いた状態の斜視図。
【図４】図１の釣り用バケツの断面図。
【図５】図１の釣り用バケツの蓋体と外蓋とを開いた状態の断面図。
【図６】変形例による釣り用バケツの図４と同様な断面図。
【図７】図６に示す釣り用バケツの外蓋を開いた状態の斜視図。
【符号の説明】
１０…釣り用バケツ、１２…バケツ本体、１４…開口、１６…蓋体、１８…外蓋、３６…周壁部。
【図１】
2004215587.tif 000003
【図２】
2004215587.tif 000004
【図３】
2004215587.tif 000005
【図４】
2004215587.tif 000006
【図５】
2004215587.tif 000007
【図６】
2004215587.tif 000008
【図７】
2004215587.tif 000009